(57)【特許請求の範囲】
【請求項１】
薬液を封入する押圧変形可能な容器本体（２）と、当該容器本体の首部（５）に溶着された開栓用の弁チップ（１０）と、当該弁チップに溶着されたノズル（２０）とから構成された薬液注入容器（１）であって、容器本体（２）の首部（５）には、基部に折り曲げ用のくびれ部（６）が設けられ且つ先端部にツバ部（７）が設けられ、弁チップ（１０）は、先端部にツバ部（１１）が設けられた中空の柱状部（１２）と、当該柱状部の基端側を封止し且つＶノッチ（１３）で分離する羽根部（１４）とを備え、ノズル（２０）には、先端部に薬液吐出口（２３）が設けられ且つ基端部にツバ部（２１）が設けられ、そして、首部（５）に弁チップ（１０）が挿入され且つくびれ部（６）とＶノッチ（１３）が位置合わせされた状態において、首部（５）のツバ部（７）、弁チップ（１０）のツバ部（１１）及びノズル（２０）のツバ部（２１）が重ね合わされ且つ一体に溶着されていることを特徴とする薬液注入容器。
【発明の詳細な説明】
【０００１】
【発明の属する技術分野】
本考案は、浣腸液等の薬液を体内に注入する際に使用される使い捨てタイプの薬液注入容器に関する。
【０００２】
【従来の技術】
従来の浣腸容器にあっては、図１０に示すように薬液を収納する容器本体５４の口部５７にカテーテル５３を嵌挿し、カテーテル５３の先に逆止弁を備えたノズル５２を設け、このノズル部５２にキャップ５１を嵌合していた。(例えば実開昭58-166342、実開平1-140960、実公昭61-21075)
また、チップを折って開栓するものとしては、図１３に示すものが提案されていた。(実公平７−１９４７４)
【０００３】
【発明が解決しようとする課題】
従来の浣腸容器図１０は、容器本体５４の口部５７にカテーテル５３を嵌挿し、このカテーテル５３の先部にさらにノズル５２が嵌挿され、キャップ５１にてノズル５２を塞いでおくものであるから、それぞれの接合、嵌合部はいま一つ十分なものではなく、輸送中の振動や保管中の温度変化等によって使用するまでの間に、カテーテル５３やキャップ５１等の各接合部から薬液が漏れ出る恐れがあった。
【０００４】
また、図１３のものにあっては、開栓時に分離されたチップ片が再び開口部を塞いで内液の吐出を困難なものとしたり、チップ片が逆止弁として働こうとしても、シール相手がブロー容器の内面で形状を完全にはコントロールできない部分であって、逆止弁機能を果たすには問題がある。
【０００５】
【課題を解決するための手段】
本考案の薬液注入容器を構成しているそれぞれの部材は、従来の嵌挿や嵌合という、いわゆる圧入法と言われる接合方法ではなく、また接合箇所も数箇所に分散されていない、即ち接合は溶着法により、かつ接合箇所は一箇所とした。
【０００６】
開栓で一旦切り離されたチップ片が吐出操作時、再び開口部を塞がないよう、分離チップ片の形状を４枚のリブの出た羽根状とし、かつ羽根部１４の外径を本体２のくびれ部６の内径８よりやや大きくした。また逆止弁としては従来実績のある金属ボールとインジェクション成形品の組み合わせとした。
【０００７】
【実施例】
以下、本考案による薬液注入容器の実施例を図面に基づいて説明する。
薬液注入容器１は、容器本体２と、該容器本体２の首部５にセットされた弁チップ１０と、さらにこの先に溶着されたノズル２０より構成される。
【０００８】
容器本体２は、押圧しやすい柔軟性の高い樹脂(LDPE等)で作られ、一方に薬液充填口３を、他方には首部５を設け、首部５の片側は折り曲げしやすいように最小径のくびれ部６が、片側には弁チップ１０並びにノズル２０を溶着するめのツバ部７が設けられている。首部５はテーパー状とし、くびれ部６の内径８は弁チップ１０の羽根部１４の外径より約０．２mm小さい。
【０００９】
弁チップ１０はツバ部１１より円柱状の柱１２が立ち上がり、Vノッチ１３を経て羽根部１４を構成している。ツバ部１１から羽根部１４の一部までは中空となっており逆止弁のボール３１がセットされている。また羽根部１４は４枚羽根で外径１５は本体２のくびれ部６の内径８より約０．２mm大きい。
【００１０】
ノズル２０はツバ部２１よりテーパー状にノズル部２２を構成し、先端は半球となして、この部分に薬液吐出口２３を設けている。
【００１１】
本体２に逆止弁のボール３１を挿入した弁チップ１０をセットする。次にノズル２０のツバ部２１の溶着面と弁チップ１０のセットされた本体２のツバ部７の溶着面を同時に加熱溶融、圧着して薬液注入容器１をつくる。
【００１２】
この薬液容器１の薬液充填口３より薬液Xを充填し、この充填口３をシール４する。
【００１３】
本考案の薬液注入容器は上記構造であるから、これを用いて体内に薬液Xを注入するには、先ず、容器本体２の胴部2aを、ノズル２０を上にして片方の手で持つ。持ち方は親指の先端を本体２のくびれ部６に当て、一方人差指はノズル２０の基部、他の三本は胴部2aを支える。図７。
【００１４】
本体２のくびれ部６に当てた親指を支点にくびれ部６を折り曲げる。すると内部にセットされた弁チップ１０のVノッチ部１３で羽根部１４が分離され本体胴部2a内に移動する(開栓)。
【００１５】
ノズル２０先端を注入口に挿入して胴部2aを押圧することにより注入は完了する。このとき逆止弁があるので体液が容器内に逆流することはない。
【００１６】
また、弁チップ１０の分離された羽根部１４が薬液Xの流れに乗って弁チップ開口部１７にもどり、開口部１７を塞ごうとするが、羽根部１４の外径１５が本体２のくびれ部６の内径８より大きいので完全には弁チップ開口部１７まで達して開口部１７を塞ぐことはできず、使用上支障のない程度の流量は確保される。
【００１７】
【発明の効果】
本発明の薬液注入容器は、上記の通り構成されているので、次に記載する効果を奏する。ノズル２０、弁チップ１０、本体２は、それぞれのツバ部（２１，１１、７）を一箇所で一体に完全に溶着接合しているので、弁チップの羽根部１４が切り離されて開栓されるまでは、輸送時の振動や保管時の温度の変化等によって液漏れが発生する恐れはない。
【００１８】
開栓された後、分離された羽根部１４が薬液Xの流れに乗って弁チップ開口部１７にもどって開口部１７を塞ごうとするが、羽根部１４の外径１５が本体２のくびれ部６の内径８より大きいので完全には弁チップ開口部１７まで達して開口部１７を塞ぐことはできず、使用上支障のない程度の流量は確保される。
【図面の簡単な説明】
【図１】  本考案の薬液注入容器の一部切り欠き断面図である。
【図２】  ノズルを表わす正面図と側面図である。
【図３】  弁チップを表わす正面図と側面図である。
【図４】  図３のAA断面図である。
【図５】  本体を表わす一部切り欠き断面図である。
【図６】  図１の要部拡大断面図である。
【図７】  開栓するときの容器の持ち方を示す図である。
【図８】  開栓によって切り離された弁チップの羽根部が再び開口部を完全に塞ぐことがなく、流量が確保されていることを示す図である。
【図９】  第二実施例図である。
【図１０】  従来の容器を示す図である。
【図１１】  図１０の要部拡大断面図である。
【図１２】  図１０の要部拡大断面図である。
【図１３】  別の従来容器である。
【図１４】  図１３の要部拡大断面図である。
【符号の説明】
１   薬液注入容器
２   容器本体
２a  容器胴部
３   充填口
４   シール
５   首部
６   くびれ部
７   ツバ部(容器本体)
８   くびれ部内径
１０  弁チップ
１１  ツバ部(弁チップ)
１２  柱状部
１３  Vノッチ部
１４  羽根部
１５  羽根部外径
１６  逆止弁の脱落防止突起
１７  開口部
２０  ノズル
２１  ツバ部(ノズル)
２２  ノズル部
２３  吐出口
３０  溶着部
３１  ボール
３２  人差指
３３  中指
３４  薬指
３５  小指
３６  親指
４０  第二実施例容器
４１  弁チップ
４２  カテーテル
５０  従来容器
５１  キャップ
５２  ノズル
５３  カテーテル
５４  容器本体
５５  シール
５６  充填口
５７  口部
【図１】
0004411754.tif 000002
【図２】
0004411754.tif 000003
【図３】
0004411754.tif 000004
【図４】
0004411754.tif 000005
【図５】
0004411754.tif 000006
【図６】
0004411754.tif 000007
【図７】
0004411754.tif 000008
【図８】
0004411754.tif 000009
【図９】
0004411754.tif 000010
【図１０】
0004411754.tif 000011
【図１１】
0004411754.tif 000012
【図１２】
0004411754.tif 000013
【図１３】
0004411754.tif 000014
【図１４】
0004411754.tif 000015